【事件の表示】
　特許第２７２８７７９号に関する訂正審判事件について、次のとおり審決する。
【結　論】
　本件審判の請求は、成り立たない。
【理　由】
１．請求の要旨 
　本件審判請求の要旨は、特許第２７２８７７９号発明の明細書を、本件審判請求書に添付された訂正明細書のとおり、すなわち、下記（１）乃至（３）のとおり訂正することを求めるものである。 
（１）訂正事項ａ
　本件訂正前の特許明細書における特許請求の範囲の請求項１の記載
「電子写真式によってカラー印刷を行うカラー印刷装置において、
　黒および複数のカラーを印刷するそれぞれのプロセスユニット（１）と、
印刷指示された印刷データが白黒印刷のときに上記黒のプロセスユニット（１）のみを作動して印刷、あるいはいずれか１つ以上のカラー印刷のときに全てのプロセスユニット（１）を作動するメカプロセス制御部（２）とを備え、
　ホストからの印刷指令に対応して、指令された印刷データが白黒のみのときに黒の上記プロセスユニット（１）のみを作動し、一方、指令された印刷データが黒を除く１つ以上のカラーのときに全ての上記プロセスユニット（１）を作動し、各プロセスユニット（１）内の光書込器（13）が感光ドラム（11）に書込んで形成したトナー像を用紙に転写して印刷するように構成したことを特徴とするカラー印刷装置。」の記載を、
　
「電子写真式によってカラー印刷を行うカラー印刷装置において、
　黒および複数のカラーそれぞれに対応し、黒およびそれぞれのカラーを印刷する複数のプロセスユニット（１）と、
　ホストから印刷指示された印刷データが白黒印刷か否かを判別し、
　白黒印刷のときに上記黒のプロセスユニット（１）のみを作動して印刷、あるいは白黒印刷でないときで、黒を除く上記複数のカラーのうちいずれか１つのカラーのみでのカラー印刷を行うために、当該カラーに対応するプロセスユニットを含む全てのプロセスユニット（１）を作動して印刷するメカプロセス制御部（２）とを備え、
　ホストからの印刷指令に対応して、指令された印刷データが白黒のみのときに黒の上記プロセスユニット（１）のみを作動し、一方、指令された印刷データが白黒印刷ではないときに、黒を除く上記複数のカラーのうちいずれか１つのカラーのみでのカラー印刷を行うために、当該カラーに対応するプロセスユニットを含む全てのプロセスユニット（１）を作動し、各プロセスユニット（１）内の光書込器（13）が感光ドラム（11）に書込んで形成したトナー像を用紙に転写して印刷するように構成したことを特徴とするカラー印刷装置。」と訂正する。
（なお、審判請求書の「６．訂正請求の理由」における「(3)訂正の事項 a)」では、当該特許請求の範囲の請求項１に係る訂正の記載「ホストからの印刷指令に対応して・・・印刷するように構成した」の中に「当該カラーに対応するプロセスユニットを含む」が記載されていないが、添付された訂正明細書では、これを有するものとして記載されていることから、当該訂正事項は上記のものとして把握した。
　また、訂正事項のうち「ぞれぞれ」なる記載がなされるも、文意からして「それぞれ」の誤記であることが明白であることから、上記のとおりに「それぞれ」として把握した。）
　
（２）訂正事項ｂ
　本件訂正前の特許明細書第２頁第５行乃至第３頁第６行（本件特許掲載公報第１頁第２欄第５行乃至第２頁第３欄第７行）における記載
「〔概要〕
　電子写真式によってカラー印刷を行うカラー印刷装置に関し、
　カラーのプロセスユニットのうちのいずれか１以上を使用するときに全てを作動し、プロセスユニットの特性を変化具合を同じにし、色バランスをほぼ一定にして綺麗なカラー印刷を行うことを目的とし、
　黒、カラーで印刷するそれぞれのプロセスユニットと、印刷指示された印刷データが白黒印刷のときに上記黒のプロセスユニットのみを作動して印刷、あるいはいずれか１つ以上のカラー印刷のときに全てのプロセスユニットを作動するメカプロセス制御部とを備え、ホストからの印刷指令に対応して、指令された印刷データが白黒のみのときに黒の上記プロセスユニットのみを作動し、一方、指令された印刷データが１つ以上のカラーのときに全ての上記プロセスユニットを作動し、各プロセスユニット内の光書込器が感光ドラムに書込んで形成したトナー像を用紙に転写して印刷するように構成する。」を、
　
「〔概要〕
　電子写真式によってカラー印刷を行うカラー印刷装置に関し、
　カラーのプロセスユニットのうちのいずれか１以上を使用するときに全てを作動し、プロセスユニットの特性の変化具合を同じにし、色バランスをほぼ一定にして綺麗なカラー印刷を行うことを目的とし、
　黒および複数のカラーそれぞれに対応し、黒およびそれぞれのカラーを印刷する複数のプロセスユニットと、ホストから印刷指示された印刷データが白黒印刷か否かを判別し、白黒印刷のときに上記黒のプロセスユニットのみを作動して印刷、あるいは白黒印刷でないときで、黒を除く上記複数のカラーのうちいずれか１つのカラーのみでのカラー印刷を行うために、当該カラーに対応するプロセスユニットを含む全てのプロセスユニットを作動して印刷するメカプロセス制御部とを備え、ホストからの印刷指令に対応して、指令された印刷データが白黒のみのときに黒の上記プロセスユニットのみを作動し、一方、指令された印刷データが白黒印刷ではないときに、黒を除く上記複数のカラーのうちいずれか１つのカラーのみでのカラー印刷を行うために、当該カラーに対応するプロセスユニットを含む全てのプロセスユニットを作動し、各プロセスユニット内の光書込器が感光ドラムに書込んで形成したトナー像を用紙に転写して印刷するように構成する。」と訂正する。
　
（３）訂正事項ｃ
　本件訂正前の特許明細書第５頁第１８行乃至第６頁第８行（本件特許掲載公報第２頁第４欄第２行乃至第１１行）における記載
「〔課題を解決するための手段〕
　第１図を参照して課題を解決するための手段を説明する。
　第１図において、プロセスユニット１は、黒、カラーで印刷するそれぞれのユニットである。
　メカプロセス制御部２は、印刷指示された印刷データが白黒印刷のときに黒のプロセスユニット１のみを作動して印刷、あるいはいずれか１つ以上のカラー印刷のときに全てのプロセスユニット１を作動し、印刷させるものである。」を、
　
「〔課題を解決するための手段〕
　第１図を参照して課題を解決するための手段を説明する。
　第１図において、プロセスユニット１は、黒および複数のカラーそれぞれに対応し、黒およびそれぞれのカラーを印刷する複数のユニットである。
　メカプロセス制御部２は、ホスト４から印刷指示された印刷データが白黒印刷か否かを判別し、白黒印刷のときに上記黒のプロセスユニット１のみを作動して印刷、あるいは白黒印刷でないときで、黒を除く上記複数のカラーのうちいずれか１つのカラーのみでのカラー印刷を行うために、当該カラーに対応するプロセスユニットを含む全てのプロセスユニットを作動して印刷させるものである。」と訂正する。
（４）訂正事項ｄ
　本件訂正前の特許明細書第６頁第９行乃至第７頁第４行（本件特許掲載公報第２頁第４欄第１２行乃至第２４行）における記載
「〔作用〕
　本発明は、第１図に示すように、ホスト４からの印刷指令に対応して、指令された印刷データが白黒のみのときに黒のプロセスユニット１のみを作動し、一方、指令された印刷データが１つ以上のカラーのときに全てのプロセスユニット１を作動し、各プロセスユニット１内の光書込器13が感光ドラム11に書込んで形成したトナー像を用紙に順次転写して印刷するようにしている。
　従って、カラーのプロセスユニット１のうちのいずれか１つ以上を使用するときに全てのプロセスユニット１を作動させることにより、各カラーのプロセスユニット１の特性の変化具合を同じにし、色バランスをほぼ一定にして綺麗なカラー印刷を行うことが可能となる。」を、
　
「〔作用〕
　本発明は、第１図に示すように、ホスト４から印刷指示された印刷データが白黒印刷か否かを判別し、白黒印刷のときに上記黒のプロセスユニット１のみを作動して印刷、あるいは白黒印刷でないときで、黒を除く上記複数のカラーのうちいずれか１つのカラーのみでのカラー印刷を行うために、当該カラーに対応するプロセスユニットを含む全てのプロセスユニットを作動し、各プロセスユニット１内の光書込器13が感光ドラム11に書込んで形成したトナー像を用紙に順次転写して印刷するようにしている。
　従って、カラーのプロセスユニット１のうちのいずれか１つ以上を使用するときに全てのプロセスユニット１を作動させることにより、各カラーのプロセスユニット１の特性の変化具合を同じにし、色バランスをほぼ一定にして綺麗なカラー印刷を行うことが可能となる。」と訂正する。
　
（５）訂正事項ｅ
　本件訂正前の特許明細書第２頁第３欄第５０行、同第３頁第５欄第３５行及び第４０行（本件特許掲載公報第２頁第３欄第５０行、同第３頁第５欄第３５行及び第４０行）における記載「カプラー」（３箇所）を、いずれも「カラー」と訂正する。
　
２．当審の判断 
（１）訂正の目的の適否、拡張・変更及び新規事項の存否
　これらの訂正事項について、訂正の目的の適否、拡張・変更及び新規事項の存否について検討する。 
　訂正前の本件特許明細書には、以下の記載事項がある。
　本件特許掲載公報第２頁第３欄第１５行〜第１８行には、「１つの色に１つの感光体ドラムを持つ、例えば、黒、Ｙ（イエロー）、Ｍ（マゼンタ）、Ｃ（シアン）の４つの感光ドラムを持つカラー印刷装置」と記載されている。
　また、同特許掲載公報第３頁第５欄第２５行〜第３７行に第３図を参照して「(12)は、白黒印刷か否かを判別する。これは、第１図メカプロセス制御部２が、ホスト４から受け取った印刷データについて、白黒印刷が指示されているか否かを判別する。YESの場合には、(16)で黒のプロセスユニット１のみを作動し、(17)で黒色の書込器13（黒のプロセスユニット１の書込器13）で当該印刷データに対応する像を感光ドラム11に書込んでトナー像を形成し、(15)で用紙に転写して印刷する。これにより、白黒印刷時には黒のプロセスユニット１のみを作動させて白黒印刷を行うと共に、他のカラーのプロセスユニット１を停止させ、劣化を最小限にする。一方、(12)NOの場合には、カラー印刷と判明したので、(13)で全プロセスユニット（黒、YMC）１の作動を行い」と記載されている。
　また、同特許掲載公報第３頁第６欄第３行〜第９行には第４図を参照して、「プロセスユニット１は、印刷枚数に伴って色あい（現像剤帯電量μＣ／ｇ）が変動するので、本発明のように例え１色のみの印刷時でも同時に他の色も併せて作動させることにより、図示のようにＹ、Ｍ、Ｃが一緒に色あいの特性が変化し、結果として各色の相互間の色バランスが、第４図（ロ）に示すように、一定となる。」と記載されている。
　
　これらの記載からみて、訂正事項ａのうち、
・本件特許において対象としているカラー印刷装置が、黒およびそれぞれのカラーを印刷する黒およびカラーそれぞれに対応する複数のプロセスユニットを有するものであること、
・メカプロセス制御部（２）が、ホストから印刷指示された印刷データが白黒印刷か否かを判別すること、
を特定している部分については、本件特許に係る発明の有する構成を明確にすべく、本件訂正前の特許明細書記載の事項に基づいて行うものであって、特許請求の範囲の減縮に該当するものである。
　
　次に、訂正事項ａの残る部分について検討する。
　本件訂正前の特許明細書の特許請求の範囲においては、メカプロセス制御部（２）における判断が「白黒印刷」のとき、即ち「印刷指示された印刷データが白黒印刷」のときに、「上記黒のプロセスユニット（１）のみを作動して印刷黒のプロセスユニット（１）のみを作動」、即ち「指令された印刷データが白黒のみのときに黒の上記プロセスユニット（１）のみを作動」とするのに対して、
メカプロセス制御部（２）における判断が、「いずれか１つ以上のカラー印刷」のとき、即ち「指令された印刷データが黒を除く１つ以上のカラー」のときに、「全てのプロセスユニット（１）を作動する」ことと記載されていた。
　上記訂正事項ａの残る訂正事項においては、メカプロセス制御部（２）での制御が、「白黒印刷でないときで、黒を除く上記複数のカラーのうちいずれか１つのカラーのみでのカラー印刷を行うために、当該カラーに対応するプロセスユニットを含む全てのプロセスユニット（１）を作動」するとし、「指令された印刷データが白黒印刷ではないときに、黒を除く上記複数のカラーのうちいずれか１つのカラーのみでのカラー印刷を行うために、当該カラーに対応するプロセスユニットを含む全ての上記プロセスユニット（１）を作動」すると訂正するものである。
　よって、これらを対比すれば、今回の訂正事項ａの残る部分により、本件特許においては、「白黒印刷でないとき」であって、「黒を除く上記複数のカラーのうちいずれか１つのカラーのみでのカラー印刷」を行うために、「当該カラーに対応するプロセスユニットを含む全てのプロセスユニット（１）を作動」するものであるとすることから、「いずれか１つ以上のカラー印刷」に含まれるところの「黒を除く上記複数のカラーのうちいずれか１つのカラーのみでのカラー印刷」の場合のみを特定するものとなっている。
　
　したがって、当該訂正事項ａは、本件訂正前の特許明細書の特許請求の範囲に記載された特定事項の一部のみに減縮するものであることからして、特許請求の範囲の減縮に該当するものといえる。
　
　そして、上記の訂正事項ａには、新規事項が含まれるものでもない。
　
　訂正事項ｂ乃至ｄは、上記に検討した訂正事項ａの訂正に伴う不整合を解消すべく、特許請求の範囲の記載を引用する箇所を整合させるものであることからして、明りょうでない記載の釈明を目的とするものである。
　
　訂正事項ｅは、明らかに誤記を訂正するものである。
　
　以上のとおりであるから、本件訂正事項ａ乃至ｅは、それぞれ特許法第１２６条第１項ただし書き第１号に規定する特許請求の範囲の減縮、同第２号に規定する誤記の訂正及び同第３号に規定する明りょうでない記載の釈明を目的として、同第１２６条第２項乃至第３項の規定に適合するものである
　
（２）独立特許要件
　上記訂正事項により訂正された本件訂正特許明細書の特許請求の範囲の請求項１に係る発明が、独立要件を有するか否かについて検討する。
　
ア．本件訂正特許明細書の特許請求の範囲に記載される発明
「電子写真式によってカラー印刷を行うカラー印刷装置において、
　黒および複数のカラーそれぞれに対応し、黒およびそれぞれのカラーを印刷する複数のプロセスユニット（１）と、
　ホストから印刷指示された印刷データが白黒印刷か否かを判別し、
　白黒印刷のときに上記黒のプロセスユニット（１）のみを作動して印刷、あるいは白黒印刷でないときで、黒を除く上記複数のカラーのうちいずれか１つのカラーのみでのカラー印刷を行うために、当該カラーに対応するプロセスユニットを含む全てのプロセスユニット（１）を作動して印刷するメカプロセス制御部（２）とを備え、
　ホストからの印刷指令に対応して、指令された印刷データが白黒のみのときに黒の上記プロセスユニット（１）のみを作動し、一方、指令された印刷データが白黒印刷ではないときに、黒を除く上記複数のカラーのうちいずれか１つのカラーのみでのカラー印刷を行うために、当該カラーに対応するプロセスユニットを含む全てのプロセスユニット（１）を作動し、各プロセスユニット（１）内の光書込器（13）が感光ドラム（11）に書込んで形成したトナー像を用紙に転写して印刷するように構成したことを特徴とするカラー印刷装置。」
（以下、「本件訂正発明」という。）
　
　上記、本件訂正発明を便宜的に以下のとおりに分節する。
(A) 電子写真式によってカラー印刷を行うカラー印刷装置において、
　
(B) 黒および複数のカラーそれぞれに対応し、黒およびそれぞれのカラーを印刷する複数のプロセスユニット（１）と、
　
(C) ホストから印刷指示された印刷データが白黒印刷か否かを判別し、
　
(D) 白黒印刷のときに上記黒のプロセスユニット（１）のみを作動して印刷、あるいは白黒印刷でないときで、黒を除く上記複数のカラーのうちいずれか１つのカラーのみでのカラー印刷を行うために、当該カラーに対応するプロセスユニットを含む全てのプロセスユニット（１）を作動して印刷するメカプロセス制御部（２）とを備え、
　
(E) ホストからの印刷指令に対応して、指令された印刷データが白黒のみのときに黒の上記プロセスユニット（１）のみを作動し、一方、指令された印刷データが白黒印刷ではないときに、黒を除く上記複数のカラーのうちいずれか１つのカラーのみでのカラー印刷を行うために、当該カラーに対応するプロセスユニットを含む全てのプロセスユニット（１）を作動し、各プロセスユニット（１）内の光書込器（13）が感光ドラム（11）に書込んで形成したトナー像を用紙に転写して印刷するように構成した
　
(F) ことを特徴とするカラー印刷装置
　
　以下において、適宜本件訂正発明の構成要件として、分節した記号により構成要件を表す。
　
イ．当審で訂正拒絶理由通知で引用した刊行物及びその記載内容
(A) 刊行物１：特開平０１−　９６６７０号公報
　電子写真式によってカラー印刷を行う、例えばカラー複写機、カラープリンタ等の画像形成装置に関する。
　
ａ．第１頁左下欄第２０行〜第１４行
「従来技術
　複数の感光体上に原稿画像が色分解した各色の記録情報ごとに露光し、現像して得られた顕像を転写ベルトにより搬送される転写紙に順次重ねて転写してカラー画像を形成する画像形成装置は知られている。従来斯かる画像形成装置としてのカラー複写機では画像形成するカラーの種類によっては複数の感光体を使用しない場合があり、その場合には感光体の疲労等の面から使用しない感光体に関するプロセスは動作させないようにしていた。しかし感光体が回転していると、実際に使用されないトナーが付着して地汚れとなる。特にネガポジの場合には作動帯電していない感光体についてもトナーが付着し、地汚れと不必要にトナーを消費するという問題があった。」
　
ｂ．第２頁左上欄第１行〜第６行
「構成
　本発明は上記の目的を達成するために、カラーモードの種類に関係なく、像形成時に使用しない感光体についても使用時と同様に帯電手段を付勢し、現像器にも像形成時と同様に現像バイアスを印加することを特徴とする。」
　
ｃ．第２頁左上欄第７行〜第２頁左下欄第１８行
「本発明の構成および作用の詳細を図に示す実施例に基づいて説明する。
　第１図は本発明が適用されるデジタルカラー複写機の概略図である。
　複写機は、原稿読み取りのためのスキャナー部１と、スキャナー部１のデジタル信号より各色の画像記録情報を得て、これに基づいて画像を複写機上に形成するプリンタ部２と、スキャナー部１及びプリンタ部２をコントロールするシステムコントローラ３とを有する。スキャナー部１は、現像載置台４の上の原稿を走査照明するランプ５、例えば蛍光灯を有する。蛍光灯５により照明されたときの原稿からの反射光は、ミラー６、７、８により反射されて結像レンズに入射される。結像レンズ９により、画像光はダイクロイックプリズム１０に結像され、例えばレッドＲ、グリーンＧ、ブルーＢの３種類の波長の光に分光され、各波長光ごとに受光器１１，例えばレッド用ＣＣＤ１１Ｒ、グリーン用ＣＣＤ１１Ｇ、ブルー用ＣＣＤ１１Ｂに入射される。各ＣＣＤ１１Ｒ、１１Ｇ、１１Ｂは入射した光をデジタル信号に変換して出力し、その出力はプリンタ部２において必要な処理を施して、各色の記録色情報、例えばブラック（以下Ｂｋと略称）、イエロー（Ｙと略称）、マゼンダ（Ｍと略称）、シアン（Ｃと略称）の各色の記録形成用の信号に変換される。第１図にはＢｋ、Ｙ、Ｍ、Ｃの４色を形成する例を示すが、３色だけでカラー画像を形成することもできる。その場合は第１図の例に対し記録装置を１組減らすこともできる。各色の記録形成信号はそれぞれの色のレーザ光出射装置１２Ｂｋ、１２Ｃ、１２Ｍ、１２Ｙに送られる。
　プリンタ部２には、図の例では４組の記録装置１３Ｙ、１３Ｍ、１３Ｃ、１３Ｂｋが並んで配置されている。各記録装置１３はそれぞれ同じ構成部材よりなっているので、説明を簡単化しるためＣ用の記録装置について説明し、他の色については省略する。尚各色用について同じ部分には同じ符号を付し、各色の構成の区別をつけるために、符号に各色を示す添字を付す。
　記録装置１３Ｃはレーザ光出射装置１２Ｃの外に感光体１４Ｃ、例えば感光体ドラムを有する。
　感光体１４Ｃには、帯電チャージャ１５Ｃ、レーザ光出射装置１２Ｃによる露光装置、現像装置１６Ｃ、転写チャージャ１７Ｃ等が公知の複写装置と同様に付設されている。
　帯電チャージャ１５Ｃにより一様に負に帯電された感光体１４Ｃには、レーザ光出射装置１２Ｃによる露光によりシアン光像の潜像を形成し、現像ローラに負バイアスを印加し現像装置１６Ｃにより露光された部位に負帯電トナーを付着させ現像し顕像を形成する。」
　
ｄ．第２頁右下欄第１７行〜第３頁左上欄第７行
「本装置の制御は第２図に示す制御システムにより行われる。システムコントローラ３はスキャナー、プリンタの各モジュールを制御する。その制御内容としては操作パネルの表示制御及びキー入力処理並びに操作パネルにより設定されたモードに従ってスキャナー、プリンタへのスタート信号、変倍率指定信号の送出、画像処理モード指定信号（色変調、マスキング、トリミング、ミラーリング等）、ステイタス信号（ウエイト、レディー、ビジー、ストップ等）によるシステム全体のコントロール等を行う。」
　
ｅ．第３頁左上欄第８行〜右上欄第１３行
「スキャナー１は、システムコントローラ３からのスタート信号により指定された変倍率に合った走査速度で原稿を走査し、原稿像をＣＣＤ等の読み取り素子で読み取り、Ｒ，Ｇ，Ｂｋ各８ビットの画像データとしてプリンタ画像処理部からの水平同期信号（Ｓ−ＬＳＹＮＣ）、画像クロック（Ｓ−ＳＴＲＯＢＥ）、及び垂直同期信号（ＦＧＡＴＥ）に同期してプリンタ１の内部の画像処理部へ送る。
　プリンタ２の内部の画像処理部はスキャナー１から送られたＲ，Ｇ，Ｂｋ各８ビットの画像データにγ補正、ＵＣＲ、色補正等の画像処理を施し、Ｙ、Ｍ、Ｃ、Ｂｋ各３ビットの画像データに変換する。
　又システムコントローラ３からの指令により、変倍処理、マスキング、トリミング、色変換ミラーリング等の編集処理を行う。
　又Ｙ、Ｍ、Ｃ、Ｂｋの画像データをプリンタ２の感光体ドラム１４の間隔分だけずらして出力するための、バッファメモリを有している。
　ビデオ制御部は水平同期信号（Ｐ−ＬＳＹＮＣ）、Ｐ−ＳＴＯＲＯＢＥ（画像クロック）を作成し、これに同期してＹ、Ｍ、Ｃ、Ｂｋ各３ビットの画像データにに従ってレーザ光出射装置１２を変調し、電子写真プロセスにより転写紙上に複写画像を得る。」
　
ｆ．第３頁右上欄第１４行〜右下欄第４行
「本画像形装置のカラーモードとしては第１表に示すようにフルカラーと、黒及び６種類の分解色の単色のモードがある。
　操作パネル３において設定されたカラーモードがシステムコントローラにより読み込まれ、その信号がプリンター２に送られて、プリンター２は設定されたカラーモードに従って各色の記録信号に応じてレーザ露光を行う。
　表１には各カラーのモードに際してレーザ露光する各記録装置を示したものであり、○は露光するもの、×は露光しないものを示す。（表１は省略）
　露光はカラロモードにより異なるが、帯電と転写のチャージャはカラーモードの種類に関係なく全ての色の記録装置に対して行う。
　現像器として２成分現像剤を用いる場合にはカラーモードに関係なく全ての色の現像ローラにバイアスを印加するようにする。これにより画像形成プロセスによって感光体ドラム１４上に２成分現像剤のキャリアが付着したり、無駄なトナーが付着することを回避する。」
　
ｇ．第３頁右下欄第５行〜右下欄第５行
「第３図は本実施例のプリンタメイン制御部が行う制御のうち重要な部分を示したタイミングチャートであり、黒赤モード時でＣ色の画像形成を行わない場合の例について示す。
　・・・中略・・・。
　画像形成しないＣの感光体ドラム、すなわちレーザ露光をされない感光体ドラムも画像形成に使用される時と同様にＢｋの感光体ドラムとＣの感光体ドラムの間を複写紙が移動する時間Ｔｂだけ遅れて帯電用高圧電源がＯＮされる。
　現像バイアス用電源は露光位置から現像位置まで感光体が移動する時間だけ夫々の露光開始時より遅れてＯＮされる。
　・・・中略・・・。
　第４図に第３図に対応する従来の例のタイミングチャートを示し従来との違いを比較する。
　第３図では使用されないＣ色の帯電及び現像バイアスがＯＮになっているが第４図ではＯＦＦのままである。
　又使用されない色の感光体の転写手段はＯＦＦにしておくと、転写紙上のトナーが使用されない色の感光体に逆転写され画像品質が悪化する。例えば第１図の装置を黒赤モードで使用した際に、ＢｋトナーがＣの感光体に逆転写される。従って転写手段はどのようなカラーモードでもフルカラーモードと同じく動作してある。
　・・・中略・・・。
　従来例においても本実施例においても転写手段はＯＮしているため、従来例のように感光体にトナーが付着していると、転写紙にトナーが付着してしまいそれが地汚れとなってしまう。しかし、本実施例においては帯電及び現像バイアスが作動しているので転写紙にトナーが付着しないことになり、地汚れのない良質の画像が得られることになる。
　従来例の黒赤モードではＣの地汚れがあるが、本実施例の黒赤モードではＣの地汚れは非常に少なくなる。
　本発明ではどのようなカラーモードにおいてもフルカラーモードと同じく帯電チャージャ及び現像バイアスをＯＮさせることにより地汚れの低減を計ることができるというものである。画像形成に使用しない感光体も帯電することにより転写用高圧電源がＯＮになっていることによる逆帯電も回避される。」
　
ｈ．第５頁左欄第１行〜第４行
「本発明により画像形成に使用しない感光体についてトナー付着による地汚れ及び無駄なトナー消費が防止され良好な画質が得られるようになった。」
　
　したがって、これらの記載からみて、刊行物１には、
　電子写真式によってカラー印刷を行うカラー画像形成装置において、
　黒（Ｂｋ）及び複数のイエロー（Ｙ）、マゼンタ（Ｍ）、シアン（Ｃ）のカラーにそれぞれ対応し、黒及びそれぞれのカラーを印刷する複数のプロセスユニットと、
　画像形成出力機能であるカラーモードとして、フルカラーと、黒及び６種類の分解色の単色モードを有しており、
　いずれのモードにおいても、全てのプロセスユニットを作動させる制御部（システムコントローラ３）を備えており、
　各プロセスユニット内の露光手段により感光体に書き込んで形成したトナー像を用紙に転写して印刷するように構成されたカラー印刷装置、
が記載されている。
　
(B) 刊行物２：特開昭６３−２６９６８５号公報
　電子写真式によってカラー印刷を行う画像形成装置に関する。
ａ．第２頁左下欄第１９行〜右下欄第１行」
「第１図は本発明の一実施例の機構部の構成図である。第２図は第１図の装置の電装部のブロック図を示す。」
　
ｂ．第３頁右上欄第１７行〜左下欄第１５行
「第１図を参照すると、感光体ドラムの表面は、チャージャ１９により一様に帯電させられる。記録信号によって変調されたレーザ光が一様に帯電された感光体表面に照射されると、・・・中略・・・。これにより感光体ドラム１８の表面に、原稿の濃淡に対応して静電潜像が形成される。この静電潜像をそれぞれ、Ｂｋ現像ユニット、Ｙ現像ユニット、Ｍ現像ユニットおよびＣ現像ユニットによって現像し、感光体ドラムの表面にはそれぞれＢｋ、Ｙ、ＭおよびＣトナー画像を形成する。
　現像ユニット内のトナーは攪拌により正に帯電され、現像ユニットは図示しないバイアス発生器によりバイアスされ、感光体の表面電位が現像バイアス以上の場所に付着し、原稿に対応したトナー像が形成される。」
　
ｃ．第３頁右下欄第１１行〜第４頁左上欄第１８行
「第８図に示すタイムチャートを参照し、複写機構主要部の動作タイミングを説明する。第８図は２枚の同一フルカラーコピーを作成するときのものである。第１キャリッジの露光付勢が開始され、レーザ４３ｙ、４３ｍ、４３ｃはそれぞれ、感光体ドラム４４ｂｋ、４４ｙ、４４ｍ、４４ｃの距離分の転写ベルト２５の移動時間Ｔｙ、Ｔｍ、Ｔｃだけ遅れて変調付勢が開始される。転写用チャージャ２９ｂｋ、２９ｙ、２９ｍ、２９ｃはそれぞれ、レーザ４３ｙ、４３ｍ、４３ｃの変調付勢開始から所定時間（感光体ドラム上の、レーザ照射位置の部位が転写用チャージャまで達する時間）の遅れの後に付勢される。
　第２図を参照する。画像処理ユニットは、ＣＣＤ７で読み取った３色の画像信号を記録に必要なＢｋ、Ｙ、ＭおよびＣの各記録信号に変換する。・・・中略・・・。なお、画像処理ユニットには複写機モードで上述のようにＣＣＤ７から３色信号が与えられるが、グラフィックスモードでは複写機外部から３色信号が外部インターフェイス１１７を通して与えられる。」
　
ｄ．第９頁左下欄第３行〜右下欄第１７行
「この実施例の複写機では、フルカラーコピーのみならず単色コピーも可能であり、フルカラーモードと単色黒モードの設定切り換えのためにコンソールに切り換え指示キースイッチが備わっている。このスイッチの操作に応じたモード設定はすでに説明した。ここで単色黒モードが設定されているときの動作を説明する。
　第１キャリッジ等を含む画像操作部は単色モードのときもフルカラーモードの時と同様に動作し、Ｒ、ＧおよびＢ３色の色信号がγ補正回路１０３より出力される。フルカラーモードのときは動作しなかったピーク検出回路１１５と２値化回路１１６が動作し、逆にカラーモードで動作していた補色生成、黒分離回路１０４以下階調処理回路１０９まで、ならびにレーザドライバ１１２およびレーザ４３ｙ、ｍ、ｃは単色黒モードでは動作しない。これらの回路の動作、非動作は、プロセッサシステムの指示に基づく同期制御回路１１４の制御動作によって定まる。・・・中略・・・。
　一方、記録系では、単色黒モードではチャージャ１９，現像ユニット２０、転写用チャージャ２９および多面鏡駆動モータ４１は動作を給紙し、その他はフルカラーモードと同様に動作する。これらの動作は、非動作はプロセッサの指示に応じてそれらのドライバが制御する。」
　
　したがって、これらの記載からみて、刊行物２には、
　電子写真式によってカラー印刷を行うカラー画像形成装置において、
　Ｂｋ（黒）及び複数のＹ（イエロー）、Ｍ（マゼンタ）、Ｃ（シアン）のカラーにそれぞれ対応し、黒及びそれぞれのカラーを印刷する複数のプロセスユニットと、
　画像形成出力機能として、フルカラーコピーと、単色コピーを備えており、
　単色黒コピーにおいては、フルカラーコピー時とは異なり、プロセッサシステムの指示に基づいて、露光手段をなすレーザドライバ、レーザは動作しないように制御する制御部を有し、
　各プロセスユニット内の露光手段により感光体に書き込んで形成したトナー像を用紙に転写して印刷するように構成されたカラー印刷装置、
が記載されている。
　
　そして、複写モードにおいては、印刷データがＣＣＤ７（画像読取部分）から３色信号として与えられるが、グラフィックスモードにおいては、複写機外部から３色信号が外部インターフェース１１７を通して与えられるように構成されていることが記載されており、この場合には、外部からの印刷データを印刷するところの、いわゆるプリンターとして機能するものであることが把握できる。
　
(C) 刊行物３：特開昭６１−１９６６７１号公報
　電子写真式によってカラー印刷を行うデジタルカラー複写機に関する。
ａ．第３頁左上欄第８行〜第１９行
「デジタルカラー複写機でも、たとえば黒１色の複写に利用されることがあり、その確率は高い。・・・中略・・・。
そこで本発明の好ましい実施例では、それぞれはイエロー、マゼンダおよびシアン色を記録する記録装置を第１組の色情報記録手段とし、ブラック色を記録する記録装置を第２組の色情報記録手段として、第２組の記録装置で最初に記録を行うものとする。」
　
ｂ．第３頁左下欄第６行〜第７行
「第１図に本発明の一実施例の機構部の構成概要を示し、第２図に電装部の構成概要を示す。」
　
ｃ．第４頁左上欄第７行〜第１７行
「ここで、第２図を参照すると、ＣＣＤ７ｒ、７ｇ、７ｂの出力は、アナログ／デジタル変換されて画像処理ユニット１００で必要な処理を施されて、記録色情報であるブラック（ＢＫ）、イエロー（Ｙ）、マゼンダ（Ｍ）およびシアン（Ｃ）それぞれの記録付勢用の２値化信号に変換される。２値化信号のそれぞれは、レーザドライバ１１２ｂｋ、１１２ｙ、１１２ｍ、および１１２ｃに入力され、各レーザドライバが半導体レーザ１１３ｂｋ、１１３ｙ、１１３ｍおよび１１３ｃを付勢することにより、記録色信号（２値化信号）で変調されたレーザ光を出射する。」
　
ｄ．第４頁左下欄第７行〜右下欄第１２行
「第１図を参照すると、感光体ドラムの表面は、図示しない負電圧の高圧発生装置に接続されたチャージャコロトロン１９ｂｋ、１９ｙ、１９ｍおよび１９ｃにより一様に帯電させられる。記録信号によって変調されたレーザ光が一様に帯電された感光体表面に照射される・・・中略・・・原稿の濃淡に対応して静電潜像が形成される。この静電潜像をそれぞれ、ブラック現像ユニット２０ｂｋ、イエロー現像ユニット２０ｙ、マゼンダ現像ユニット２０ｍおよびシアン現像ユニット２０ｃによって現像し、感光体ドラム１８ｂｋ、１８ｙ、１８ｍおよび１８ｃの表面にそれぞれブラック、イエロー、マゼンダおよびシアントナー画像を形成する。
尚、現像ユニット内のトナーは攪拌により正に帯電され、現像ユニットは、図示しない現像バイアス発生器により-200V程度にバイアスされ、感光体の表面電位が現像バイアス以上の場所に付着し、原稿に対応したトナー像が形成される。」
　
ｅ．第５頁左下欄第２行〜右下欄第１３行
「黒モード設定ソレノイドが非通電（カラーモード）であると、第１図に示すように、記録紙を載せる転写ベルト２５は感光体ドラム４４ｂｋ、４４ｙ、４４ｍおよび４４ｃに接触している。この状態で転写ベルト２５に記録紙を載せて全ドラムにトナー像を形成すると記録紙の移動に伴って記録紙上に各像のトナー像が転写する（カラーモード）。黒モード設定ソレノイドが通電される（黒モード）と、・・・中略・・・。転写ベルト２５は、感光体ドラム４４ｙ、４４ｍおよび４４ｃより離れ、感光体ドラム４４ｂｋには接触したままとなる。この状態では、転写ベルト２５上の記録紙は感光体ドラム４４ｂｋに接触するのみであるので、記録紙にはブラックトナー像のみが転写される（黒モード）。・・・中略・・・。すなわち黒モードでの複写では、通常の単色黒複写機と同様なコピーが得られる。
　コンソ−ルボード３００には、コピースタートスイッチ、カラーモード／黒モード指定スイッチ３０２・・・中略・・・が備わっている。」
　
ｆ．第１１頁左下欄第１０行〜第１２頁左上欄第１行
「ここで単色黒モードが設定されている時の動作を説明する。第１キャリッジ等画像操作部は単色黒モードのときもフルカラーモードのときと同様に動作し、Ｒ、ＧおよびＢ３色の色信号はγ補正回路１０３より出力される。・・・中略・・・。
一方、記録系では、単色黒モードではチャージャコロトロン１９ｙ、ｍ、ｃ、現像ユニット２０ｙ、ｍ、ｃは動作を休止しその他はフルカラーモードと同様に動作する。これらの動作、非動作はプロセッサシステム２００の指示に応じてそれらのドライバが制御する。」
　
(D) 刊行物４：特開昭６２−１７９９６７号公報
　電子写真式によってカラー印刷を行うカラー印刷装置に関する。
ａ．第２頁左上欄第１０行〜第１４行
「記録紙上にカラー像を再生するデジタルカラー複写機においては、カラー記録モードと白黒記録モードとを選択できるようにして、その選択した各記録モードに対応して適する紙質の記録紙を自動選択して給紙する。」
　
ｂ．第２頁右上欄第７行〜第１９行
「デジタルカラー複写機でも、例えば黒１色の複写に利用されることにより、その可能性は高い。この場合にも複写機では、黒色以外のカラー成分の記録系も同時に動作していることになる。感光体の劣化など装置の信頼性、保守、寿命などの問題を考慮して、黒１色の複写の場合に必要とするのは黒１色の記録系のみであるから、白黒複写モードを設けてこの白黒複写モードの場合には黒以外のカラー成分の記録系の動作を停止させておくことが好ましい。このため、デジタルカラー複写機においても白黒複写モードを設けて、この白黒複写モードの場合には黒色以外のカラー成分の記録系を停止させておくことが行われる。」
　
ｃ．第１１頁右上欄第１２行〜右下欄第１行
「第１キャリッジ等画像走査部は単色黒モードのときもフルカラーモードのときと同様に動作し、Ｒ、Ｇ及びＢ３色の色信号がγ補正回路１０３より出力される。フルカラーモードの時は動作していた補色生成、黒分離回路１０４以下階調処理回路１０９まで、ならびにレーザドライバ１１２ｙ、ｍ、ｃ及びレーザ４３ｙ、ｍ、ｃは、単色黒モードでは動作しない。これら回路の動作、非動作は、プロセッサシステム２００の指示に基づく同期制御回路１１４の制御動作によって定まる。γ補正回路１０３の出力はピーク検出回路１１５に与えられ、ピーク検出回路１１５が３入力の中で最もレベルの大きいもののアナログ電圧を２値化回路１１６に与える。２値化回路１１６には、所定の値に設定されたスレッシュホールドレベルがあり、入力を該レベルと比較して１ビットのデジタル信号に変換しオアゲート１１１に与える。この出力はオアゲート１１１を通してレーザドライバ１１２ｂｋに与えられる。レーザドライバ１１２ｂｋは与えられた信号に基づいてレーザ４３ｂｋを付勢する。すなわち信号に基づいてレーザを変調制御する。
　一方、記録系では、単色黒モードではチャージャコロトロン１９ｙ、ｍ、ｃは動作を休止しその他はフルカラーモードと同時に動作する。これらの動作、非動作はプロセッサシステム２００の指示に応じてそれらのドライバが制御する。」
　
ｄ．第１図には、各プロセスユニットが、光書込み器であるレーザ４３ｙ、ｍ、ｃ、ｂｋが感光体（感光ベルト）１８ｙ、ｍ、ｃ、ｂｋに書き込んで形成したトナー像を用紙に転写して印刷する構成が記載されている。
　
(E) 刊行物５：特開平０２−　７４３６７号公報
　カラー画像の色を修正する色修正方法及び色修正装置に関する。
ａ．第２頁左上欄第１５行〜右上欄第６行
「一般に記録色成分の不要反射（吸収）特性及び各記録色成分の比例則不軌性及び再生記録色の相加則不軌性により、前記記録色と入力濃度ディジタル情報との関係は非線形性が強く、広い範囲で忠実な色再現特性を得る様に前記多項式関数を近似するのは、非常に困難であるという問題がある。
　本発明は、上述した問題点を解決するためになされたものであり、記録されるカラー画像に適する色修正を行うことにより良好な色再現特性が得られるカラー画像の色修正方法及び装置を提供することを目的とする。」と、
　
ｂ．第３頁左下欄第２行〜第１４行
「まずステップＳ１において、ホストコンピュータなどのホスト側より送られた情報を前記ホスト用インターフェイス４０において取り込み、ステップＳ２において、前記取り込まれた情報がカラーモードの情報かどうかを前記ＣＰＵ４３で判断し、カラーモードの情報でない場合は、ステップＳ３において前記取り込まれた情報をそのまま前記レーザビームプリンタ用インターフェース４４を用いて前記モノクロプリンタ１へ送る。前記取り込まれた情報が色設定変更モードの情報かどうかを前記ＣＰＵ４３で判断する。」
　
(F) 刊行物６：特開昭６３−２４９１６４号公報
　画像形成装置に関する。
ａ．第１頁右欄第６行〜第２頁左上欄第５行
「産業上の利用分野
　本発明は、一般には画像形成装置に関するものであり、特に複数個の電子写真感光体の如き像担持体を並置し、これら感光体に電子写真画像形成プロセスを施し複数画像の又は複数色の現像像を得、該現像像を転写材搬送装置により担持し搬送される転写材、又は中間転写体或いは連続紙のような受像体に順次転写し多重画像を又はカラー画像を得るようにした多重（多色）電子写真画像形成装置に関するものである。本発明は、電子写真複写装置のみならず、種々のプリンター、ファクシミリ等にて具現化し得るが、本明細書では光源からの光ビームを操作し像担持体に画像情報を照射する光走査手段を複数個配置した電子写真方式のカラー用のレーザービームプリンターに関連して説明する。又本発明に使用される像担持体は、無端移動する像担持体なら、ベルト状又ドラム状の如何なる形態のものであってもよいが、本明細書にてはドラム形状のものとして説明する。」
　
ｂ．第３頁左上欄第１７行〜右上欄第８行
「発明の目的
　本発明の目的は、単色モード又は２色、３色等の非フルカラーモードにおいても、画像の摺擦の問題を解決し、画像損傷のない良好な品質の画像を得ることのできる画像形成装置を提供することである。・・・略・・・。本発明の他の目的は、多色及び単色画像を良好に形成することのできる多色画像形成装置を提供することである。」
　
ｃ．第３頁右下欄第２行〜第１０行
「本発明に従えば、単色モード、２色或いは３色モードの時、即ち、イエロー、マゼンタ、シアン、ブラックの４色全色を使用しない場合には、所望色外の画像形成ステーションにおける画像形成手段、即ち、感光ドラム１，帯電器２，走査光学装置３，現像器４，転写帯電器６ｂのうち現像器４の作動のみが停止され、その他のプロセス装置は、通常フルカラーモードの時のように作動される。」
　
ｄ．第３頁右下欄第４頁左上欄第５行
「例えばイエロー単色モードを例にとって上記構成の画像形成装置の作動について説明を行なう。
　今、装置はイエロー単色モードとされるので、マゼンタ、シアン、ブラックの各ステーションの画像形成部では現像器４以外のプロセス装置は通常のフルカラーモード時と同様に動作し、イエローステーションでは画像形成手段は全て通常通り作動している。」
　
(G) 刊行物７：特開昭６３−２４９１６１号公報
　画像形成装置に関する。上記刊行物６における記載ａ、ｂとほぼ同様な記載がなされている。
ａ．第４頁左上欄第８行〜第１７行
「本発明に従えば、単色モード、２色或いは３色モードの時、即ち、イエロー、マゼンタ、シアン、ブラックの４色全色を使用しない場合には、所望色外の画像形成ステーションにおける画像形成手段、即ち、感光ドラム１，帯電器２，光走査（露光）手段３，現像器４，転写帯電器６ｂのうち光走査手段３の作動のみが停止され、その他のプロセス装置は、通常フルカラーモードの時のように作動される。」
　
ｂ．第４頁右上欄第７行〜第１６行
「例えばイエロー単色モードを例にとって上記構成の画像形成装置の作動について説明を行なう。
　今、装置はイエロー単色モードとされるので、マゼンタ、シアン、ブラックの各ステーションの画像形成部では露光手段、つまり本実施例では光走査手段３以外のプロセス装置は通常のフルカラーモード時と同様に動作し、イエローステーションでは画像形成手段は全て通常通り作動している。」
　
(H) 刊行物８：特開昭６２−２９９８７３号公報
　像担持体の周囲に画像形成手段を有して構成される画像形成ステーションを複数備え、台各画像形成ステーションにて形成された像担持体上の画像を転写材に転写するようにした単色或いは２色以上のモノカラー又はフルカラーの多色画像形成装置に関する。
ａ．特許請求の範囲
「像担持体の周囲に画像形成手段を有して構成される画像形成ステーションを複数備え、該各画像形成ステーションにて形成された像担持体上の画像を転写材に転写するようにした単色或いは２色以上のモノカラー又はフルカラーの多色画像形成装置において、画像形成が行われなかった画像形成ステーションでは像担持体のみが駆動され、画像形成手段は不作動とされることを特徴とする画像形成装置。」
　
ｂ．第４頁左上欄第７行〜第１５行
「例えばイエロー単色モードを例にとって本発明に係る画像形成装置の作動説明を行なう。今、イエロー単色モード時には、本実施例では、イエローステーションＰaでは全ての画像形成手段が動しており、マゼンタ、シアン、ブラックの各画像形成ステーションＰb、Ｐc、Ｐdでは感光ドラム以外の画像形成手段、つまり、帯電器２，走査光学装置３、現像装置４、転写放電器６は停止している。」
　
(J) 刊行物９：特開昭６０−５３９６４号公報
　複数の画像形成装置を有する画像記録装置に関し、特に現像剤の色情報に応じた出力画像データの選択や画像形成条件の制御を行うことのできる画像記録装置に関する。
ａ．第２頁右上欄第１３行〜第１９行
「本発明の目的は、複数の画像形成部の色情報を検知することにより、それぞれの色の画像データに対応する色情報が１つでも存在しない場合（現像装置が装着されていない場合も含む）には印字を禁止し、表示装置により警告を与えることも可能とした画像記録装置を提供することにある。」
　
ｂ．明細書第２頁左下欄第４行〜第３頁左上欄第１７行
「第１図は本発明画像記録装置の内部構成例を示し、ここで、１は画像記録装置本体（ボディ）であり、その中に第１画像形成部２、第２画像形成部３，用紙取扱い部４，第１給紙部５６，第２給紙部６、第１スタッカ部７および第２スタッカ部８を構成する。さらに、20および30は感光体、21および31は反射ミラー、22および32はビーム走査装置、23および33は用紙入口搬送部、24および34は転写部、25および35は排紙ローラ、26および36は用紙出口搬送部、37は用紙入口搬送部、40は用紙入口部、41は用紙出口部、42および43は搬送路、50および60は給紙ローラであり、Ｐ1およびＰ2は第１および第２給紙部５および６にそれぞれ積載されている用紙である。
　第１および第２画像形成部２および３はほぼ同じ構成のレーザビームプリンタであり、その感光体20および30の周囲には後述の第２図に示すような既知の電子写真プロセスユニットを配置する。よって、例えば第１の画像形成部２に黒の現像剤入りの現像装置を、第２の画像形成部３に赤の現像剤入りの現像装置を装着すれば、多色印字出力をすることが可能となる。一方、このようなレーザビームプリンタ等による多色印字では、一般に色の重ね合せによる色彩の忠実な再現は必要でなく、例えば図表等のフォームと文字とを別の色で印字するといったものであるので、色に対する印字の順番をあらかじめ決めてしまう必要はない。従って、その順序を逆にして第１の画像形成部２に赤の現像剤入りの現像装置を第２の画像形成部３に黒の現像剤入り現像装置を装着して多色印字を行っても結果的にその画質の差は生じない。なお、その際、それぞれの色に応じたプロセス制御を各画像形成部２および３で行うのは勿論である。
　第２図は、第１図の第１および第２画像形成部の感光体周辺の構成例を示し、ここで51は現像器、52は転写帯電器、53はクリーナ、54〜56は帯電器、57は露光ランプ、59は露光ビーム、58は表面電位センサ、61は図の矢印方向に進む転写紙の経路、62および63は高圧電源、64は電位計（本体）、65はバイアス電源、66,67および69はD/A（デジタル−アナログ）コンバータ、68はA/D（アナログ−デジタル）コンバータ、70は現像器51内の現像剤の色を示す色情報信号を搬送する情報信号ケーブルであり、以上の構成要素51〜58および61〜70は第１の画像形成部２の構成要素であるが、第２の画像形成部３も第１の画像形成部２と全く同様の構成からなる。さらに、71はディジタルコンピュータであり、第１および第２の画像形成部２および３の画像形成部プロセス制御、すなわち、表面電位制御や現像バイアス制御等を行うばかりでなく、画像データの選択等のあらゆる処理を行う。72は第２の画像形成部３の現像器である。」
　
ｃ．明細書第３頁左下欄第１３行〜第５頁左上欄第５行
「第４図は２つの画像形成部を有する第２図の本発明画像記録装置の制御部の構成の一例を示し、ここで101は第１の画像形成部２の現像剤の色情報検知部、102は第２の画像形成部３の現像剤の色情報検知部であり、これらの検知部101および102からの出力信号201および202をペリフェラルインターフェースアダプター（以下、PIAと称する）103に供給する。PIA103はバス203を介して中央演算処理装置(CPU)104、制御プログラムを格納したリードオンリメモリ（ROM）およびランダムアクセスメモリ（RAM）105と接続する。
　PIA103に供給された第１の画像形成部２の色情報検知部101からの検知信号201および第２の画像形成部３の色情報検知部102からの検知信号202を、後述の第５図に示す制御手順に従ってCPU104で処理して、PIA103からそれぞれの検知信号に応じて選択回路106へデータ選択信号204を出力し、そのデータバッファ107および108からのデータ205および206を選択したデータ207および208を画像形成部２および３へ出力し、同時にPIA103からプロセス条件設定回路109および110を介して画像形成部２へプロセス制御信号209と第２の画像形成部３へプロセス制御信号210とを出力し、各画像形成部２および３においてそれぞれの色に対応した画像の印字を行う。また、後述の台５図に示す制御手順に従ってある条件下で印字が禁止された場合には、PIA103からの警告信号211により駆動回路111を介して表示部112により、警告表示を行い、その際、外部入力スイッチ113の投入信号212により、PIA103を介して印字禁止を解除することも可能にしている。
　さらに、上述のデータバッファ107および108には色別の画像情報を、例えばデータバッファ107には黒の印字をすべきデータを、またデータバッファ108には赤の印字すべきデータを格納するというように、色毎に印字データをバッファリングしておく。一方、データバッファ107および108のそれぞれの中にデータが存在しているかを通知する信号213および214をPIA103にデータバッファ107および108から出力する。なお、プロセス条件設定回路109および110は第２図の高圧電源やD/Aコンバータ等62〜69を含んだものに相当する。
　次に、第５図のフローチャートを参照して、第４図の本発明装置の動作例を説明する。ここで、301〜315は制御手順のステップを表わす。
　まず、301でそれぞれのデータバッファ（例えば黒と赤）107および108にデータがあるか否かを信号213および214により判断し、その両方ともデータがあれば302へ進み、両方のデータが揃っていない場合には303へ進む。302では黒および赤の現像器51および71が装填されているか否かを色検知部101および102からの信号201および202により判断し、両方の現像器51および72とも装填されていれば304へ進み、黒のデータ205を黒の現像器72へ装填されている画像形成部（例えば３）へ、赤のデータ206を赤の現像器（例えば２）へ選択回路106を介して送ると同時に、黒の画像形成のためのプロセス条件設定および赤の画像形成のためのプロセス条件設定をプロセス条件設定回路109および110で行い、314でプリント開始状態となる。
　黒および赤のデータがデータバッファ107および108内にあるにもかかわらず、対応する色の現像器がない場合には302は否定判定となり、302から305に進んで”警告”を表示部112に表示し、313でプリント禁止にする。ただし、少なくとも黒または赤の現像器の一方が装填されている場合には、305の警告表示から306へ進み、オペレータ（操作者）の判断に従って外部入力スイッチ113の押下により307で黒および赤のデータを黒または赤のどちらかの単色で印字するように選択回路106およびプロセス条件設定回路109および110を選択し、314でプリント開始を行うことも可能である。
　また、当然のことながら、データが片方（例えば黒または赤のみ）の場合には、303から308、309と進んで単色（黒または赤）で印字することになるわけであるが、その際、印字に関係のない画像形成装置２または３をバイパスする。また、308でデータに対応する色の現像器51または72がないと判断した場合には、310へ進み表示器112に”警告”の表示を行い、315でプリント禁止314にする。判断に従って310から311に進み、外部入力スイッチ113により312で本来の色と別の色で印字することも可能である。
［効　果］
　以上説明したように、本発明によれば複数の画像形成部を備え、多色印字が可能な画像記録装置において、現像装置内の現像剤の色情報を検知するようにしたので、次のような効果が得られる。
(1) 印字データの色情報との対応をみることにより、プリント許可、あるいはプリント禁止指令を出すことができるので誤操作を阻止できる。
(2) 色に対応した画像形成部を決めてしまう必要がなく画像形成部に装填された現像器の色に応じて印字データを送り、多色印字を行うことができるので、複数の画像形成部の効率的な使用が可能となる。
(3) 多色印字モードで作動中に単色で印字する場合には、他の色の画像形成部をバイパスして、画像形成部の負荷を減らすことができる。」
　
　これらの記載からみて、『データバッファ１０７，１０８に格納した印刷データを判断してそのデータの色情報に対応させてプリントの許可、或いはプリント禁止を行う記録装置』が記載されており、例えば黒と赤の多色印字を可能にする装置を記載するものであって、４色の多色印字ではないが、黒のみの印刷と複数色（黒、赤）の印刷とでは異なるプロセス制御を行っており、その判断を印刷データに基づいて行っていることが明らかである。
　
(K) 刊行物１０：実願昭５６−９０３４９号（実開昭５７−２０１３３８号公報）のマイクロフィルム
ａ．実用新案登録請求の範囲
「印字装置に送られてくる１行印字データ中に含まれる多色識別データと，多色識別データを基準に同一色に１行印字データに分解するデータ分解部と，分解された各色毎の１行印字データを同期して格納できるバッファ部と，バッファ部に格納された印字データをもとに指定された色に印字する印字部と，印字段階で各色毎に分離していた一行印字データを集合できる機能を備えた印字機構を備えたことを特徴とする多色印字装置。」
　
ｂ．第１頁第１６行〜第１８行
「この考案は電子計算機の周辺端末印字装置である印字装置に係り，特に多色印字装置に関するものである。」
　
ｃ．第５頁第８行〜第６頁第５行
「本考案の印刷方式について第４図，第５図，第６図を用いて説明する。チャンネル部(2)より送られてくる印刷データは第８図に示すような形式で一行単位で印刷装置に送られる。印刷データの中にはカラー識別するための多色識別データＡ，Ｂ，Ｃ（例えばＡは黒，Ｂは赤，Ｃは青とする）が含まれ，次の識別データが現れるまでの間の印刷データは，その識別データが示すカラー毎に印字される。
　転送された印刷データは，データ分解部(23)で，各色毎の一行印刷データに整える。もし該当する多色識別データが存在しなかった場合は一行スペースの印刷データに整える。整えられた印刷データは，該当するバッファ部に１行単位が同期して格納される。バッファ部に蓄えられた１行印刷データは文字発生部(6)で，１走査線分のシリアルドットイメージに分解し，印刷部(7)へ送られる。」
　
　したがって、これらの記載からみて、刊行物１０には、
　送られてくる色識別データを含む印刷データを元に、色毎の印刷データを整えて、各色毎に色を認識した印字を行うことが記載されている。
　
(L) 刊行物１１：特開平１−１５８５２４号公報
　ホストコンピュータに接続されているプリンタの動作モードをホストコンピュータ側から制御するようにしたプリンタの動作モードの制御方法および装置に関する。
ａ．特許請求の範囲
「ホストコンピュータに接続されているプリンタの動作モードを制御するプリンタの動作モードの制御方法において、プリンタ動作入力時に前記ホストコンピュータ側の入力器によりプリンタの動作モードを選択し、この選択された動作モードを表示器に表示させるとともに情報記憶・再生媒体にモード情報として記憶させ、同時にプリンタ側に制御コードとして記憶させ、その後プリンタ動作命令時のホストコンピュータによりディスクに記憶されたモード情報を制御コードとしてプリンタ側に送り、プリンタを既に記憶している同一の制御コードに従って動作させることを特徴とするプリンタの動作モードの制御方法。」
　
　したがって、これらの記載からみて、刊行物１１には、
　ホストコンピュータからプリンタの動作モードを制御する制御コードが送られることで、所望のプリンタの動作モードを選択できることが記載されている。
　
(M) 刊行物１２：特開平１−１８４１３９号公報
　カラー画像形成装置、特にホスト装置から複数の入力色成分信号を受け取ってカラー画像を形成する装置に関する。
ａ．特許請求の範囲
「複数の入力色成分信号、および出力色成分制御信号の入力手段、
　入力色成分信号を画像処理して、装置固有の複数の出力色成分信号を算出する処理手段、
　各出力色成分信号の値に応じて各色成分画像を形成する画像形成手段、
を持ち、処理手段は出力色成分制御信号の値に応じて出力色成分信号の算出を制御することを特徴とするカラー画像形成装置。」
　
ｂ．第２頁左上欄第６行〜右上欄第７行
「（従来の技術）
　従来、モノクロの画像形成装置では、ホスト装置から１つの入力画像信号を受け取って、それに階調変換等を施して装置固有の画像信号にし、その信号を元に画像形成を行っている。入力画像信号は、一般に輝度に比例した信号もしくは濃淡に比例した信号である。一方、カラーの画像形成装置では、２つのタイプがある。最初のタイプはホスト装置から複数の入力色成分信号を受け取り、各色成分信号ごとに階調変換等を施して装置固有の対応する色成分の画像信号にし、その信号を元に各色成分画像を形成するものである。このタイプは、装置固有の色成分に対応し入力色成分信号を必要とする。２つ目のタイプはホスト装置から複数の入力色成分信号を受け取り、それらのマスキング処理、階調変換等を施して装置固有の複数の色成分の画像信号にし、その信号を元に各色成分画像を形成するものである。このタイプは、入力色成分と実際に画像形成を行う色成分が異なっていても良く、例えば入力色成分がＲＧＢで、それを元にＣＭＹＫの各色成分の画像信号を作成して画像形成を行っても良い。」
　
ｃ．第２頁右上欄第８行〜左下欄第１７行
「（発明が解決しようとする問題点）
　上記のようなモノクロの画像形成装置では、入力画像信号と画像形成に使用される信号が、ほぼ１対１に対応しており、ホスト装置は意図通りの画像を形成することができた。
　しかしながら、上記、第１のタイプのカラー画像形成装置では、ホスト装置は各種固有の色成分信号を送らねばならず、装置固有の特性、例えば、各色成分の色空間上での位置等の情報を知らないと意図通りの画像を形成することができない。さらに、この入力色成分信号は装置固有のもので、装置タイプごとに変えねばならないという欠点があった。
　一方、上記第２のタイプのカラー画像形成装置では、一般的な色成分信号、例えばＮＴＳＣのＲＧＢ輝度信号をうけとり、これを装置固有の色成分例えばＣＭＹＢｋの濃度信号に変換するので上記のような欠点はない。しかしながら、このタイプの装置のうち、黒色成分を抽出して黒で画像形成を行う能力を持つ装置では、黒だけで画像形成を行いたい部分があっても入力画像信号がマスキング処理を施され、他の色成分が混じってしまうという欠点があった。さらに、入力画像が黒文字等の文字の領域を含ませた場合、ホスト装置側で入力画像信号中の文字に対応する部分を文字に最適な値にしておかなければ良好な文字画像を得られないという欠点があった。このように、このタイプの装置では、画像形成装置への入力画像信号を制御するだけでは、ホスト機器の意図通りの画像が得られないという欠点があった。」
　
　したがって、これらの記載からみて、刊行物１２には、
　画像形成装置において、従来から、ホスト側から送る画像データに関して、画像形成を行う機器側での出力特性に合わせた色データ処理をホスト側で行う場合と、ホスト側は画像データをそのまま送り、画像形成を行う機器側において出力特性に合わせた色データに調整する場合とが存在することが記載されている。
　また、画像データがモノクロでないカラー画像を扱う場合には、黒情報が含まれている場合にこれを認識した画像形成を行う必要があること、このような場合には、ホストから単に画像データを送るだけでは所望の出力を得られないことが認識されていることが記載されている。
　
(N) 刊行物１３：特開平１−１４５１５２号公報
　複数のエミュレーションモードを有するプリンタに関する。
ａ．特許請求の範囲
「複数のエミュレーションモードを有するプリンタにおいて、ホストからのコマンドに応じて前記エミュレーションモードを設定するモード設定手段を備えたことを特徴とするプリンタ。」
　
ｂ．第１頁左下欄第１０行〜右下欄第１３行
「技術分野
　この発明は、複数のエミュレーションモードを有するプリンタに関する。
従来技術
　一般に、レーザプリンタ等のプリンタにおいて、ドットプリンタ、デイジーホイールプリンタあるいはその他のページプリンタ等の複数のエミュレーションモードを有するものがある。
　このようなプリンタにおいては、プリンタ本体にＤＩＰスイッチを設けて所要のエミュレーションモードを選択するようにしている。
　しかしながら、このようにＤＩＰスイッチにてモードを選択するのでは、モードを変更する際に一々スイッチを操作しなければならないし、またモード変更時には変更前のモードのデータ処理の終了を確認しなければならない等操作性が悪いという問題がある。
目　的
　この発明は上記の観点に鑑みてなされたものであり、操作性を向上することを目的とする。
構　成
　この発明は上記の目的を達成するため、ホストからのコマンドによってエミュレーションモードを設定する機能を備えたものである。」
　
ｃ．第２頁左上欄第１５行〜第２０行
「ホストインターフェース１２は、オフィスコンピュータ，パーソナルコンピュータ，ワードプロセッサ，画像処理装置等のホスト２との間でデータを送受するためのインターフェースであり、ホスト２に合わせて各種のインターフェースあるいはシリアルインターフェースを選択する。」
　
ｄ．第３頁左上欄第１１行〜右上欄第３行
「プリンタコントローラ１のデータ処理は、第３図に示すように、ホスト２からデータを受信したときには、まず受信後直ちに実行を要するコマンドを認識して実行し、次いで通常のコマンドを認識して実行した後、ページバッファを作成してビットイメージをプリンタエンジン４に送出し、用紙の排紙処理に移行する。
　したがって、最初の処理で受信後直ちに実行を要するコマンドとしてのエミュレーション選択コマンドを認識できるので、ソフト的に通常のコマンドを認識して実行の終了を確認した後直ちにエミュレーションモードの変更を実行することができる。」
　
ｅ．第３頁右上欄第１２行〜左下欄第１３行
「第４図に示すようにホスト２側はファイルの送出に先立ってエミュレーション選択コマンドを送出し、その後ファイルを送出する。
　一方、プリンタコントローラ１は第５図に示すように、インプットバッファにホスト２からの受信データが有ればその受信データを読み出してコマンドかデータかを判別する。
　そして、受信データがコマンドであれば、そのコマンドがエミュレーション選択コマンドか否かを判別し、エミュレーション選択コマンドであれば、そのエミュレーション選択コマンドで指定されたエミュレーションモードの設定し、エミュレーション選択コマンドでなければその他のコマンド処理をし、また受信データがデータであれば、そのデータをプリントアウトするためのデータ処理をする。
　このように、このプリンタはホスト２からのエミュレーション選択コマンドを認識したときには、このエミュレーション選択コマンド以前に受信したデータについては変更前のエミュレーションモードで全て処理（印字）した後、エミュレーション選択コマンドで指定されたエミュレーション選択以後の受信したデータを処理（印字）する。」
　
　したがって、これらの記載からみて、刊行物１３には、
　ホストからプリンタへのデータ送受には、ホストインターフェースを介して行われること、このホストから受信されたデータには、処理（印字）対象のデータ以外にコマンド（この場合には、エミュレーションモード設定のコマンドも含まれている。）が含まれていることが記載されている。
　
ウ．本件訂正発明と、刊行物２記載のものとの対比
　ここで、本件訂正発明を刊行物２記載のものと対比するにあたり、まず、本件訂正発明における構成要件「(A) 電子写真式によってカラー印刷を行うカラー印刷装置」の意味する技術的内容に関して検討する。
　本件訂正発明では、構成要件(C)において「ホストから印刷指示された印刷データ」あるいは構成要件(E)において「ホストからの印刷指令に対応して」なる表現があり、「ホスト」から印刷データを得ることが特定されている。
　この「ホスト」が何を表すかを把握できる記載としては、本件特許掲載公報中の実施例に係る第２頁第４欄第４３行〜第４６行に「ホスト４は、第１図図示カラー印刷装置に印刷データを送信して印刷させるものである。制御部５は、ホスト４から送信された印刷データを受け取ったり、全体の処理を行ったりするものである。」の記載がなされている。
　そこで、「ホスト」とは、カラー印刷装置の外部に位置するものとして意識されたものであることが伺える。
　一般的に「印刷装置」と称される機器には、本体内に印刷すべき画像情報を作成する、いわゆるスキャナーを有するものと、外部から画像情報を受け取るものとが存在する。
　そして、前者は、通常「複写機」と称され、後者は「プリンター」と称される。また、画像情報を出力することから、後者に属するものとして「ファクシミリ」も挙げられる。
　後者の場合における機器は、印刷装置の外部に存在する画像情報作成機器から、印刷データを受け取って、これを印刷出力するものとして認識されるものである。
　そもそも、「複写機」は単独で複写を可能とすべき開発されたことから、当初においては他機器との接続が認識されていなかったものである。一方、「プリンター」は元来がコンピュータの周辺機器として、ホストの出力要求に応じて印字出力を得られるものである。
　そして、情報技術に進展に伴い、いずれのものもコンピュータ、あるいは通信回線からの画像出力に対応すべく、機器間の接続が可能とされるに伴い、これらを総称する用語として「画像処理装置」が用いられるようになってきたものである。
　この場合に、「画像処理装置」には、出力すべき画像情報を作成する部分を「画像作成装置」と称し、実際に画像情報を出力する部分を「画像形成装置」と称するようになった経緯が存在する。
　このような経緯から、本件訂正発明における「印刷装置」は、通常「画像形成装置」とも称される「複写機」、「プリンター」、「ファクシミリ」等を包括的に含めた概念のものとして認識されているものである。
　
　したがって、本件訂正発明における構成要件(A)におけるカラー印刷装置は、外部に存在する画像情報作成機器から、印刷データを受け取るのであるからして、通常「プリンター」と称される機器として把握することが妥当と解されるので、以下の検討においては、構成要件「(A) 電子写真式によってカラー印刷を行うカラー印刷装置」の技術的内容に関しては、構成要件(C)と構成要件(E)の表現を加味して、ホストと接続される「電子写真式によってカラー印刷を行うカラー印刷装置」として把握し、以下の検討を行う。
　
　ホストと接続される「電子写真式によってカラー印刷を行うカラー印刷装置」においては、ホストから印刷する画像情報を送り込まれるわけであり、その際にプリンタ機能を所望のものとして用いるべく、ホストから指令或いはコマンドをプリンタに送り、プリンタでの画像印刷を行うものであることは、前記に掲げた刊行物１１乃至１３に記載されるようにきわめて周知の事項である。
　したがって、ホストと接続される「電子写真式によってカラー印刷を行うカラー印刷装置」を含む「画像形成装置」の記載がなされている場合において、これが、ホストと接続される「電子写真式によってカラー印刷を行うカラー印刷装置」であるものとして認識することに格別の困難性は存在しない。
　
　そこで、刊行物２の記載を検討するに、当該刊行物２には「カラー複写機、カラープリンタ等」との例示がなされており、プリンタとしても認識し得る「画像形成装置」である。
　また、前記記載事項イ．(B)−ｃにおける「なお、画像処理ユニットには複写機モードで上述のようにＣＣＤ７から３色信号が与えられるが、グラフィックスモードでは複写機外部から３色信号が外部インターフェイス１１７を通して与えられる。」に明記されるように、ホストから送信された印刷データを受け取って処理をするものであることが明らかである。
　
　そして、刊行物２に記載されるものにおける「制御部」、「感光体」及び「露光手段」は、本件訂正発明の「メカプロセス制御部」、「感光ドラム」及び「光書込器」に各々相当するものであることから、両者は、
　電子写真式によってカラー印刷を行うカラー画像形成装置において、
　黒及び複数のカラーにそれぞれ対応し、黒およびそれぞれのカラーを印刷する複数のプロセスユニットと、
　黒のみによる印刷（前者）の場合と、上記複数のカラーのうちいずれか１つのカラーのみでのカラー印刷（後者）を行う場合とにおいて、プロセスユニットに作動が異なる制御がなされ、前者の場合には、黒のプロセスユニットが作動されて黒以外のプロセスユニットは作動されないのに対して、後者の場合には、当該カラーに対応するプロセスユニットを含む全てのプロセスユニットを作動して印刷するように制御する制御部を備え、
　各プロセスユニット内の光書込機が感光体に書き込んで形成したトナー像を用紙に転写して印刷するように構成されたカラー印刷装置、
である点で共通しており、以下の点において相違している。
　
相違点１：制御部での判断に関して、
　本件訂正発明においては、「(C) ホストから印刷指示された印刷データが白黒印刷か否かを判別し」と特定されるのに対して、
　刊行物２に記載されるものにおいては、フルカラーと、黒のモードを備えることは記載されるものの、特段に白黒印刷であるか否かの判断についての記載がない点。
　
相違点２：制御部によるプロセスユニットの作動制御に関して、
　本件訂正発明においては、
「(D) 白黒印刷のときに上記黒のプロセスユニット（１）のみを作動して印刷、あるいは白黒印刷でないときで、黒を除く上記複数のカラーのうちいずれか１つのカラーのみでのカラー印刷を行うために、当該カラーに対応するプロセスユニットを含む全てのプロセスユニット（１）を作動して印刷する」及び
「(E) ホストからの印刷指令に対応して、指令された印刷データが白黒のみのときに黒の上記プロセスユニット（１）のみを作動し、一方、指令された印刷データが白黒印刷でないときに、黒を除く上記複数のカラーのうちいずれか１つのカラーのみでのカラー印刷を行うために、当該カラーに対応するプロセスユニットを含む全ての上記プロセスユニット（１）を作動し」
と特定されているのに対して、
　刊行物２に記載されたものにおいては、上記相違点１に関連して、白黒印刷とそれ以外を判断するとは記載されておらず、また、プロセスユニットの作動に関しては、各々のプロセスユニットを作動、非作動とするものとしては表現されておらず、プロセスユニットを構成する要素をどのように作動するかが特定される点。
　
　相違点１について検討する。
　前記に、本件訂正発明が、ホストと接続される「電子写真式によってカラー印刷を行うカラー印刷装置」として把握することが妥当であり、その場合にはいわゆるプリンターと称されるものに該当すること、「画像形成装置」なる記載には、当該プリンターが含まれることを指摘した。
　それ故、この相違点１に関して、刊行物２に記載される「３色信号」は、ホストからの印刷データに相当する外部から印刷を行うべく与えられるデータであることからして、本件訂正発明の「印刷データ」に相当することは明らかである。
　
　そこで、相違点１に係る本件訂正発明にいう「印刷データが白黒印刷か否かを判別し」なる構成要件の意味内容を検討する。
　
　本件特許明細書中で、当該「判別」の技術的内容を定義する箇所はないので、当該「判別は、当業者が通常に用いている技術に相当するものであると推察される。
　そこで、本件出願前の文献を検討するに、前記刊行物９においては、『データバッファ１０７，１０８に格納した印刷データを判断してそのデータの色情報に対応させてプリントの許可、或いはプリント禁止を行う記録装置』が記載されており、受け取った「印刷データ」内容の詳細を把握して黒が含まれるか否かを判別することは、従来から当業者が採用し得る技術事項であることが把握できる。
　また、このような色の判別手法は、刊行物１０においても把握できる。
　
　一方、前記に掲げた刊行物１１あるいは１３に記載されるように、ホストと接続されたプリンタにおいて、ホスト側からの印刷命令（コマンド）を発する際に「印刷データ」とともに、プリンタの持つ機能（モード）を選択する手法も存在する。
　この場合に、「印刷命令」と「印刷データ」との区別は明確なものとはいえず、表現上両者を含むものとして「印刷データ」を用いる場合も存在する。
　
　本件訂正発明における構成要件は、「(C) ホストから印刷指示された印刷データが白黒印刷か否かを判別し」であることからして、表現上そのままに解釈すれば、「判別」を行うのは「メカプロセス制御部」であって、これが「判別」を行うために対象としているのは、「印刷データ」である。
　したがって、「ホストから印刷指示された印刷データ」中に、プリンタへの「印刷命令」が含まれない狭義のものと解釈するのであれば、本件訂正発明において採用されている手法として、前者の、受け取った「印刷データ」内容の詳細を把握して黒が含まれるか否かを判別すること、となる。
　しかしながら、このような手法は刊行物９乃至１１にみられるように、当業者が適宜採用し得る手法であって、これを採用したことによる作用効果は容易に推察可能なものである。
　
　相違点２を検討するに先立って、本件訂正発明において用いられている、「プロセスユニット」の概念、及び「作動」あるいは「のみを作動」の技術的内容であるかについて検討する。
　
　本件特許明細書中のプロセスユニット構成に関する記載としては、第２図を参照する以下のものがある。
「第２図は、第１図プロセスユニット１の詳細構成図を示す。
　第２図において、前帯電器12は、感光ドラム11を帯電させるものである。
　光書込器13は、前帯電器１で帯電させた感光ドラム11に対して、印刷データを書き込み、現像器14によって現像し、印刷しようとするトナー像を形成させるものである。
　現像器14は、黒、カラーのいずれか１つの色のトナーを、感光ドラム11に付着させて印刷データに対応するトナー像を生成するものである。
　転写帯電器15は、感光ドラム11上のトナー像を、用紙に転写するものである。
　クリーナ16は、トナー像を用紙に転写した残余の余分なトナーを取り去るものである。
　以上のように、現像器14に入れるトナーの色（黒、Ｙ、Ｍ、Ｃ）を選択することにより、任意の色で印刷することができる。」
（特許掲載公報第３頁第５欄第１行〜第１９行）
　したがって、本件訂正発明における「プロセスユニット」とは、感光ドラム11、前帯電器12、光書込器13、現像器14、転写帯電器15及びクリーナ16等をひとまとまりとして、トナーの色（黒、Ｙ、Ｍ、Ｃ）毎にユニット化されたものを指す概念であることが把握できる。
　
　次に、この本件訂正発明におけるプロセスユニットの「作動」あるいは「のみを作動」とは、いかなる技術的内容であるかについて検討する。
　なお、請求人は、これら「作動」あるいは「のみを作動」に関して、本件訂正発明においては、少なくとも「作動して印刷する」という文言を用いており、これを単に「作動」として扱うことが妥当でない、と主張している。
　しかしながら、「作動」された後に結果として「印刷」がなされるわけであり、換言すれば、印刷は「作動」によりもたらされるものであること、特に「白黒印刷以外」の場合においては、「印刷」の出力を行わないで「作動」のみされるプロセスユニットにおいて、これが「印刷」を行っているものとはいえないことから、検討すべき概念は、前記するように「作動」あるいは「のみを作動」として捉えるべきであり、これに基づいて、以下の検討を行う。
　
　本件特許明細書において、当該プロセスユニットの作動を詳細に説明する記載はない。
　ただ、本件訂正発明の解決しようとする課題に関する、本件特許掲載公報第２頁第３欄第１２行〜第４欄第１行においては、「この複数の感光ドラムを持つカラー印刷装置で、ある特定の色、例えばＭ（マゼンタ）のみを用いて印刷するなどによって、各カラーのプロセスユニットの使用頻度（印刷枚数）が異なると、第５図（ロ）に示すように、色バランスがくずれて綺麗なカラー印刷を行えないという問題があった。」或いは「ここで、Ｙ（イエロー）のプロセスユニットの使用を開始し、次にＭ（マゼンタ）のプロセスユニットの使用を開始し、更に後れてＣ（シアン）のプロセスユニットの使用を開始した場合、印刷枚数に伴い色あいが変動するので、各色間の色合の差が変動する。」との記載がなされ、本発明は、カラープロセスユニットのうちのいずれか１以上を使用するときに全てを作動し、プロセスユニットの特性の変化具合を同じにし、色バランスをほぼ同じにし、色バランスをほぼ一定にして綺麗なカプラー印刷を行うことを目的としている。」と記載されている。
　したがって、これらの記載を参酌すれば、プロセスユニットの「作動」とは、直裁には「使用すること」と把握される。
　そして、このプロセスユニットの作動が、実施例に示される各構成要素（感光ドラム11、前帯電器12、光書込器13、現像器14、転写帯電器15及びクリーナ16等）のいずれの作動を行うことなのか、はたまた、前記各構成要素の一部が非作動であることを含むのか等、特定の構成要素毎にどのような作動状態あるいは非作動状態とする制御内容を要件とするものであるかは把握できない。
　
　そこで、前記した刊行物３乃至８の各々を検討すれば、これらは本件訂正発明と同様の「画像形成装置」に位置付けられ、画像形成のための複数のプロセスユニットを有するものに関するものであり、いずれも出力機能として黒単色での印刷（「白黒印刷」に相当）及び黒以外のカラーが含まれる印刷（「白黒印刷」以外の印刷に相当）を有するものである。
　そして、これらの「画像形成装置」においては「白黒印刷」と「白黒印刷」以外の印刷とでは、各プロセスユニットを構成する構成要素の作動を異なるものとすることが記載されている。
　前記に指摘したようにプロセスユニットには、その構成要素として「感光ドラム」、「前帯電器」、「光書込器」、「現像器」、「転写帯電器」及び「クリーナ」等の多岐のものが存在しており、望むようなプロセスユニットの作動を得るには、これらの構成要素を一部は作動させ、他のものを非作動とする必要があり、この構成要素の作動・非作動を適切に行うことが求められる。
　
　本件訂正発明においては、単に「黒のプロセスユニット（１）のみを作動」、「当該カラーに対応するプロセスユニットを含む全てのプロセスユニット（１）を作動」と記載されるのみで、プロセスユニット（１）を構成する構成要素自体の個々の「作動」あるいは「のみを作動」が特定されるところはない。
　したがって、本件訂正発明におけるプロセスユニットの「作動」あるいは「のみを作動」は、従来存在する技術内容と大幅に異なる特別な技術的内容を表現するものではないものと推察される。
　
　これらから、本件訂正発明において相違点２に関して明確な技術的内容は、「白黒印刷」と「白黒印刷」以外の印刷とにおいて、プロセスユニットの作動状態を異なるものとすることである。
　そして、このように「白黒印刷」と「白黒印刷」以外の印刷とにおいて、プロセスユニットの作動状態を異なるものとすることは、前記した刊行物３乃至８にみられるように、「画像形成装置」が複数の出力機能を有する場合には、当然に採用されているものであって、格別なものとはいえない。
　
　また、前記に摘示した刊行物１の記載内容にみられるように、特段「白黒印刷」と「白黒印刷」以外の印刷とを区別していない「画像形成装置」であって、出力される色により複数のカラーモードを有するものにおいて、黒以外の単色のカラー出力を行う場合において、出力されるカラーには関係なく、全てのプロセスユニットを作動状態としておくことで、地汚れを低減するのに有効であることは、当業者がよく認識するところである
　
　以上のように、相違点２は当業者が従来慣用する制御内容に関するものであって、必要に応じて適宜採用し得る技術的事項に属するものであって、格別なものとはいえないものである。
　
　そして、前記の相違点１及び２を組み合わせて得られる作用効果も、当業者であれば容易に推察可能なものでしかない。
　
　したがって、本件訂正発明は、刊行物２に記載される発明と、刊行物１、刊行物３乃至８、刊行物９乃至１０、及び刊行物１１乃至１３に記載される技術的事項に基づいて、当業者が容易に発明をすることができたものであって、特許法第２９条第２項に規定により特許を受けることができないものである。
　よって、本件訂正発明は、特許出願の際独立して特許を受けることができるものとはいえず、特許法第１２６条第４項を満たすものとはいえない。
　
　なお、付言するに、当審における訂正拒絶理由通知に対して、審判請求人は意見書を提出し、訂正拒絶理由通知書においては、本件訂正発明の課題、技術的思想、その作用効果を正確に把握されないまま、本件訂正発明と各刊行物の記載内容が比較され、判断されているために、誤った判断が成されている旨を主張する。
　
　しかしながら、以下に説明するように、本件訂正発明における「課題、技術的思想」は、通常当業者が認識している課題を別の表現方法として記述したものであり、本件訂正発明における「その作用効果」は、当業者が通常必要に応じて適宜用いている各種の技術的事項を単に寄せ集めたものにおいて当然に得られる作用効果を表したにすぎないものである。
　
　確かに、本件特許明細書においては、
「複数の感光ドラムを持つカラー印刷装置において、ある特定の色のみを用いて印刷することによって、各カラーのプロセスユニットの使用頻度（印刷枚数）が異なると各プロセスユニットにより、使用頻度（印刷枚数）の相違に伴い色あいが変動し、これにより各色間の色あいの差が変動することにより、色バランスがくずれて綺麗なカラー印刷を行えない」という課題を解決するために成されたものと記載されている。
　そして、同本件特許明細書には、この課題を解決すべく本件訂正発明では、
「黒を除く複数のカラーのうちいずれか１つのカラーのみでのカラー印刷を行う場合にも、当該カラーに対応するプロセスユニットを含む全てのプロセスユニットを作動して印刷を行う」ものであり、これにより「各カラーのプロセスユニットの使用頻度（印刷枚数）が同じになり、各プロセスユニットの色あいの変動具合が同じになり、これにより各色間の色あいの差が変動しなくなり、色バランスがくずれることなく、綺麗なカラー印刷が行えるようにした」と記載されている。
　
　しかしながら、前記に個別に指摘したように、本件訂正発明を構成する各構成要件のいずれもが、従来から当業者が良好な作動−すなわち綺麗な印刷結果を得るという画像形成装置において共通に認識されている課題の下に適宜採用している技術的事項である。
　刊行物２に記載されるものも、前記したように、カラー複写機、カラーファクシミリなどの画像形成装置であり、「電子写真式によってカラー印刷を行うカラー印刷装置」と認識できるものであって、そして、これら当該カラー印刷装置において、綺麗な印刷結果を得ることが共通する課題として認識されていることは当業者にとり明らかなことである。
　してみると、本件訂正発明の課題として掲げられるところの綺麗な印刷結果を得ることが、カラー印刷装置に関する刊行物２において明示されていないとしても、共通に認識されているものである。
　したがって、請求人の「本件訂正発明の課題、構成、作用、効果」のいずれもが刊行物２に記載されていないとの主張は、刊行物２に直裁に表れていないことを指摘するにすぎず、刊行物２において全く意識されていないとまではいえない。
　
　請求人は、当審の訂正拒絶理由通知での本件訂正発明における「印刷装置」に関する内容把握に対し、これが誤りであるとし、本件の訂正された特許請求の範囲記載をそのまま引用し、「ホストと接続される電子写真式によってカラー印刷を行うカラー印刷装置」に限定されるものであって、「複写機、プリンター、ファクシミリ等を包括的に含めた広義な意味を持つ画像形成装置とは異なる」と主張する。
　しかしながら、当審では前記本件の訂正された特許請求の範囲記載では、既存の各種画像形成装置との関係において、どのような構成を有する装置として把握しているかを明示すべく前記のように指摘したものである。
　当審における本件訂正発明の装置内容の把握では、本件訂正特許明細書をみるかぎりにおいては、本件訂正発明は、既存の各種装置と明らかに異なる技術的特徴を有していないこと、また、指摘したように複写機、プリンター、ファクシミリ等に本件訂正発明が適用可能であることから当該把握をしているものである。
　請求人は単に前記把握が誤りであって、本件訂正発明とは異なると主張するのみで、既存の複写機、プリンター、ファクシミリ等の装置との関係を明らかにすることを行っておらず、本件訂正発明を別のものとして把握すべき必然性がない。
　
３．むすび 
　以上のとおりであるから、本件審判請求は、特許法第１２６条第１項第１号及び第３号に掲げる事項を目的とするものであって、同条第１項乃至第３項の規定に適合するものではあるが、同条第４項の規定に適合しないので、本件審判請求による訂正を認めることはできない。
　
　よって、結論のとおり審決する。